(57)【要約】【課題】  動作をより複雑なものにすると共に動作範囲を大きくして、斬新で興趣が尽きないような、また玩具の用途のみならずスポーツ用具としてや応援用具などとしても用いることが出来るような、発光する遊戯具を提供する。【解決手段】  手で持つための棒状体等の握柄と、この握柄に取り付けて振ることが出来る紐状や帯状等の柔軟な長尺体とから成り、この長尺体に複数個の発光体を、その発光が外から見られるように設け、この発光体と、握柄側または長尺体側に取り付けた電源と、握柄側または長尺体側に取り付けたスイッチと、の間を配線して成る発光遊戯具とした。発光する柔軟な長尺体が握柄に取り付けられており、この握柄を振ることで、これまでには見られなかったような大きく複雑な光跡を描画する。【選択図】図１
2008264459.tif 000002
【特許請求の範囲】
【請求項１】
手で持つための棒状体等の握柄と、この握柄に取り付けて振ることが出来る紐状や帯状等の柔軟な長尺体とから成り、この長尺体に複数個の発光体を、その発光が外から見られるように設け、この発光体と、握柄側または長尺体側に取り付けた電源と、握柄側または長尺体側に取り付けたスイッチと、の間を配線して成ることを特徴とする発光遊戯具。
【請求項２】
前記電池が長尺体の前記握柄に近い部位に設けられている、請求項１に記載の発光遊戯具。
【請求項３】
前記発光体が発光ダイオードにより成るものである、請求項１に記載の発光遊戯具。
【請求項４】
更に前記発光体の点滅を制御するための制御回路を備えている、請求項１に記載の発光遊戯具。
【請求項５】
前記長尺体がリボンである、請求項１に記載の発光体。
【請求項６】
キャラクターなどの人形を前記長尺体または前記握柄に備えている、請求項１に記載の発光遊戯具。
【請求項７】
更に音声やメロディーを発生させるための発音回路とスピーカと備えている、請求項１に記載の発光遊戯具。
【発明の詳細な説明】
【技術分野】
【０００１】  この発明は棒状体等の握柄とこれに取り付けて振る発光する長尺体とから成る、玩具や応援用具やスポーツ用具等として用いることが可能な発光遊戯具に係り、握柄を手で持って振ることによって柔軟な長尺体に設けた発光体の光跡を楽しむことが出来る発光遊戯具に関する。
【背景技術】
【０００２】  従来より光回転玩具としては、握柄部に電池と電源スイッチとモータとを内蔵し、モータの回転軸に回転自在にディスプレイ部が設けられており、このディスプレイ部に発光ダイオードなどの発光部品が取り付けられており、前記電源スイッチをＯＮ状態にするとモータが回転してディスプレイ部が回転すると共に前記発光部品が発光するように前記各部を配線して成るものがあった。電源スイッチをＯＮ状態にすると、光るディスプレイ部が手元で回転すると言うものである。更に特開２００３−１０３０７０号や特開２００５−１９２６８４号のように、握柄部とディスプレイ部との間にもう一段回転部材を介在させることによって、より複雑な光跡を握柄部の近くに描かせようとするものが当出願人により提供されている。
【特許文献１】  特開２００３−１０３０７０号公報
【特許文献２】  特開２００５−１９２６８４号公報
【発明の開示】
【発明が解決しようとする課題】
【０００３】  これ等の光回転玩具は遊園地の土産用の玩具などとして販売されており、確かに面白くはあるが今では古臭いものとなっている。と言うのもディスプレイ部が点燈あるいは点滅しながら握柄部の近くをぐるぐると回るだけであるため、動作が単調で直ぐに飽きてしまうからである。なお特開２００３−１０３０７０号や特開２００５−１９２６８４号ではディスプレイ部の光跡にもう一段複雑な回転を加えており、これはこれで素晴しい効果を奏しているのであるが、動作範囲に付いては上述したものと同様に手元の小さな空間だけであって、面白みに欠けると感じる人もいる。【０００４】  そこでこの発明は、上述したような問題点を解決して、動作をより複雑なものにすると共に動作範囲を大きくして、斬新で興趣が尽きないような、また玩具の用途のみならずスポーツ用具としてや応援用具などとしても用いることが出来るような、全く新しい発光遊戯具の提供を課題とする。
【課題を解決するための手段】
【０００５】  上述の課題はこの発明によれば、手で持つための棒状体等の握柄と、この握柄に取り付けて振ることが出来る紐状や帯状等の柔軟な長尺体とから成り、この長尺体に複数個の発光体を、その発光が外から見られるように設け、この発光体と、握柄側または長尺体側に取り付けた電源と、握柄側または長尺体側に取り付けたスイッチと、の間を配線して成ることを特徴とする発光遊戯具とすることにより達成される。【０００６】  前記棒状体等の握柄はこれを手に持って縦に横に振ったり、くるくると回転させたり、これ等の動作をミックスさせるなどして自由に振ることが出来る。この握柄を握って手や腕を振り回すとこれに取り付けられている柔軟な長尺体がこれに合わせて動作する。この長尺体に設けられている発光体を光らせると、この光は先の長尺体の運動に合わせて光跡を描くようになる。発光体はスイッチを入れることにより電源から電力が供給されて発光する。この発光運動の様子は環境が暗くなるほど明らかに観測される。【０００７】  この発明で重要な点は発光する柔軟な長尺体が棒状体等の握柄に取り付けられており、この握柄を振ることで、これまでには見られなかったような大きく複雑な光跡を描画し得ると言う点にある。確かに例えば棒状体のみからなるものに発光体を取り付けて振るものは交通警備などでも用いられているが、これは合図をしたり注意を促す役目のものであって、単に手元だけの小さな動きしか行えない。また棒状体等の握柄を用いることなく長尺体のみを振り回すことも考えられたが、やはり腕の近傍だけの動作に止まる上、腕や体に接触したり巻き付くなどして長尺体の自由な動きが阻害されてしまうことが分かった。そこでこの発明の発光遊戯具のように構成して、握柄を手で持って長尺体を握柄の分だけ体から放すようにすると、長尺体が体に接触しにくくなり、自由に振れるようになり、また動きにアクセントが付けられるようになる。またこの際に大きく振れるようになる点も重要である。この特長は握柄が特に棒状体の時に顕著である。また単に手に持って振るだけでなく身体の運動を伴った自由な操作をすることが可能となっている。長尺体の動きはこれまでのものには見られない変幻自在な動作が可能で、これがそのまま光跡に反映される。【０００８】  なお柔軟な長尺体としては、紐状や帯状のものの他に、パイプ状のものなどが任意に採用可能である。手で持つための棒状体等の握柄に付いて、その形状や素材や構造も任意である。握柄は球のようなものであっても良い。握柄が棒状体であればアンテナのような伸縮構造とすることもまた可能である。長尺体の握柄への取り付けに関しては、直接握柄に固定する他、スイベルを介在させて取り付けるなど自由である。発光体には任意のデバイスを用いることが出来る。例えば発光ダイオード（ＬＥＤ）や豆球などであるが、この場合には豆球よりＬＥＤの方が耐衝撃性に優れる。発光体は長尺体の外側に設けても内側に設けても良いが、後者では長尺体の少なくともこの部位を透光性のものにするなどしてその発光が外から見えるように設ける必要がある。前記配線は、長尺体の側に発光体、電源、スイッチが纒められている場合は単純であるが、電源やスイッチを握柄側に設ける場合には���線が握柄と長尺体との接続部を跨ぐことになるため、この接続部に前記スイベルなどを用いるのであれば、これに合わせて回転接点を設けることが好ましい。なおスイッチにはモーションセンサーを設けて、加速度が加わるとスイッチが入るように構成することが出来る。また棒状体等の握柄側に発光体を備えるようにすることも可能である。これによって握柄を振った時に長尺体のみならず握柄も共に発光させて、両者の光跡を楽しむことが出来るようになる。【０００９】  次に、前記電池が長尺体の前記握柄に近い部位に設けられている発光遊戯具とすることが出来る。このように構成することによって握柄で電池を振り回す形となる。しかも電池を長尺体の前記握柄に近い部位に設けて成るため、電池を長尺体の先端部などに設けた場合とは異なり、長尺体の自由な動きを保証することが出来るのである。なおこの構成ではスイッチも電池の部位に設けることが好ましい。【００１０】  次に、前記発光体が発光ダイオードにより成るものとすることが出来る。上述したように発光ダイオードは豆球よりは耐衝撃性に優れており、扱いも容易である。なお発光ダイオードを長尺体の長手方向に複数個配置する場合には、一般的には並列接続とする。【００１１】  次に、更に前記発光体の点滅を制御するための制御回路を備えているものとしても良い。単に発光体を点燈させるだけでなく点滅するように制御することで、描かれる光跡をより変化に富んだものとすることが出来る。点滅は一定でもプログラムされたものでもランダムでも設定可能である。なお発光ダイオードを用いる場合であるが、発光ダイオードそのものに点滅制御回路が組み込まれているものを利用しても良い。【００１２】  次に、前記長尺体がリボンであるものとすることが出来る。体操の床運動などではリボンが用いられる種目がある。リボンの動きは変幻自在であり時に激しく時に優雅であるが、このようなリボンに発光ダイオード等の発光体を組み込み、握柄特にバトンのような棒状体に取り付けてこの発明の発光遊戯具とすることが出来る。玩具や応援用具やスポーツ用具として美しく楽しいものである。【００１３】  次に、キャラクターなどの人形を前記長尺体または前記握柄に備えているものとしても良い。玩具や応援用具やスポーツ用具では各々関係するキャラクターなどの人形が付属していると雰囲気が盛り上がるものである。【００１４】  次に、更に音声やメロディーを発生させるための発音回路とスピーカと備えているものとすることが出来る。握柄を自由に振り回すとこれに取り付けられている柔軟な長尺体がこれに合わせて動作し、この長尺体に設けられている発光体が先の長尺体の運動に合わせて光跡を描くようになる。これと共にスピーカから音声やメロディーを出せば、玩具や応援用具やスポーツ用具が更に楽しいものとなる。なおキャラクターの音声やテーマ音楽のメロディーを用いることで、上述したキャラクターなどの人形と同じような効果を与えることが出来る。
【発明の効果】
【００１５】  この発明の発光遊戯具によれば、棒状体等の握柄を手に持って、リボンなどの長尺体を出来るだけ身体から離して操るようにしたことによって、長尺体の動作がより複雑で大きなものとなり、その光跡を存分に楽しむことが出来るようになっている。このように斬新で興趣が尽きないような、全く新しい発光遊戯具を提供することが出来、所期の目的が達成された。
【発明を実施するための最良の形態】
【００１６】  以下この発明の実施形態を図面を参照しつつ説明するが、この発明はこれ等の実施形態にのみ限定されるものではなく、各種のバリエーションを与えることが可能である。【００１７】  第１実施形態
図１乃至図３はこの発明の第１実施形態の発光遊戯具を表わす。握柄としての円筒状の合成樹脂製のバトン１の先端部にワイヤー６０を介してリボン２を取り付けて成る。リボン２の一端部は電源ボックス５に取り付けられており、この電源ボックス５と前記バトン１とをスイベル６が設けられたワイヤー６０で接続して成る。また前記リボン２は透光性の２枚の布を重ねてその間に発光ダイオード３と配線４とを挟んで固定して成るものであり、発光ダイオード３は配線４に対して等間隔に且つ並列的に接続されている。なお発光ダイオード３はリボン２の端までは設けられておらず、リボン２の他端部は自由端とされている。前記配線４は前記電源ボックス５に接続されており、この電池ボックス５にはスイッチ５０が設けられている（図１）。【００１８】  次に図３を用いて電池ボックス５の内部構成及び配線部分を説明する。詳細は図示しないが電源回路５２は発光ダイオード３を駆動するためのものであって、スイッチ５０と電池５１とが接続されている。この電源回路５２からは配線４が引き出されており、これに前記発光ダイオード３が並列接続されている。従ってスイッチ５０をＯＮ状態にすると電源回路５２から発光ダイオード３へと電力が供給されて発光ダイオード３が発光する。【００１９】  さてこの発光遊戯具は、電池ボックス５のスイッチ５０をＯＮ状態にし、手でバトン１を握って振り回すと、例えば図２で表わしたようにバトン１をくるくると回転させるとリボン２が螺旋を描き、この時に発光ダイオード３がリボン２が描く形状に従って光跡を残すのである。矢線の３はこの光を放つ発光ダイオードを指している。このリボン２を操る際に、図２で表わしたようにバトン１を手に持つことにより鎖線の間隔だけリボン２を身体から遠ざけることが出来るため、リボン２が身体や腕にまとわり付いて綺麗な光跡を連続して残すことが出来なくなるようなことがないと言う効果を奏するのである。各種ある握柄の中でも特にバトン１はリボン２を身体から遠ざける効果が大きい。【００２０】  なお発光ダイオード３を配設する間隔などは自由であり、リボン２の中に複数列を配設するなども可能である。またバトン１の表面に蓄光機能を持たせたものなども興味深い構成となる。【００２１】  第２実施形態
図４はこの発明の第２実施形態の発光遊戯具に於ける制御回路５３回りを表わす。この制御回路５３は点滅制御回路５４とメロディー制御回路５５とから構成されており、点滅制御回路５４から配線４が引き出されており、これに前記発光ダイオード３が並列接続されており、メロディー制御回路５５にはスピーカ７が接続されている。このように構成された回路部分が図示しない電池ボックス５に納められている。【００２２】  前記点滅制御回路５４には異なる５種類の点滅パターンが予めプログラムされており、また前記メロディー制御回路５５には異なる５種類のメロディーが予め記録されている。従って前記電池ボックス５のスイッチ５０をＯＮ／ＯＦＦする毎にプログラムされている点滅パターンで発光ダイオード３が順次発光し、また順次異なるメロディーが鳴るのである。なお点滅パターンやメロディーは５番目のものの次は１番目のものに戻るように設定されている。なおこれ等が順次にではなくランダムに選択されるように設定することも可能である。【００２３】  第３実施形態
図５はこの発明の第３実施形態の発光遊戯具に於ける電池ボックス回りを表わす。この電池ボックスはマスコット人形８の外形（アヒル形）を呈している点に特徴を有するものである。帽子の部分は回転スイッチ部８０であり、この頂部に設けた回転具６１に接続したワイヤー６０を以て図示しないバトンに取り付けられている。またアヒルの口の開口部８１からはリボン２０が取り出されており、このリボン２０の中に発光ダイオード３が連なるように設けられている。【００２４】  リボン２０は透明ビニール製のものであり、その表面に極薄いレンチキュラーレンズが形成されており、リボン２０の内部に設けた発光ダイオード３からの光がレンチキュラーレンズの作用によって一定のパターンで拡散されて見えるようになっている。またアヒルの目にはレンズ８２が填っており、この裏側に設けた図示しない発光ダイオードが前記リボン２０側の発光ダイオード３に並列に接続されている。従ってこれ等の発光ダイオードは同時に発光することになる。【００２５】  第４実施形態
図６はこの発明の第４実施形態の回転給電具９を表わす。上述した実施形態は何れもリボン側に電池ボックスとスイッチとを設けた発光遊戯具に関するものである。これに対して電池ボックス或いはスイッチがバトン側に設けられる場合には配線がリボン側とバトン側とを跨るように成る。そこで配線が捩れないようにするために図６で表わした回転給電具をリボン側とバトン側との間に設けたのである。【００２６】  図６の回転給電具９はその一側だけを図示したものであるが、中心部に回転軸９０を備えており、これと同心円状に２つの接点金具９１，９２が設けられている。また他側の図示しない回転給電具には前記回転軸９０を受ける軸受けを備えており、前記接点９１，９２にそれぞれ弾接するバネ接点を備えている。従ってこれ等の接点を介して電池から発光ダイオードへ通電される。このような構造のものは一般的であり任意のものが採用可能である。【００２７】  第５実施形態
図７はこの発明の第５実施形態の発光遊戯具を表わす。この基本構成は上述した第１実施形態の発光遊戯具に倣うが、次のいくつかの点で異なる部分がある。すなわちバトン１０はＬ字部１１を有して、バトン１０とＬ字部１１とは回転給電部９３を介して接続されている。またＬ字部１１の先端部にはリボン２が回転給電部９４を介して接続されている。この回転給電部９３，９４は上述した第４実施形態の構成を利用したものである。なおリボン２まわりの構成は上述した第１実施形態のリボン２とほぼ同じものである。【００２８】  前記バトン１０は鎖線で表わした電池５１を収納するための電池ボックスを兼ねており、スイッチ５０が設けられており、また内部の先端部に鎖線で表わしたモータ５５がその回転軸を突出するように納められている。このモータ５５の回転軸に前記Ｌ字部１１が取り付けられて回転自在とされている。またバトン１０内ではスイッチ５０と電池５１とモータ５５とが直列に配線されている。更にこのスイッチ５０と電池５１とを結ぶ配線４０とリボン２側の配線４とが接続されている（図７）。【００２９】  この構成によれば、バトン１０のスイッチ５０をＯＮ状態にするとモータ５５が回転してＬ字部１１を回転させると同時に、リボン２側の発光ダイオード３が点燈する。従って手でバトン１０を握って振り回す必要がなく、モータ５５の回転力によってＬ字部１１がくるくると回転してリボン２が螺旋を描き、この時に発光ダイオード３がリボン２が描く形状に従って光跡を残すのである。これに加えて手でバトン１０を振っても良いのは勿論であり、より一層複雑な光跡を描くことが可能である。【００３０】  第６実施形態
図８はこの発明の第６実施形態の発光遊戯具を表わす。この基本構成は上述した第１実施形態の発光遊戯具に倣うものであるが、握柄としての合成樹脂製のＤ字形リング１２を用いている点で異なる。このＤ字形リング１２にはスイベル６のワイヤー６０を介してリボン２が取り付けられている（図８）。【００３１】  この発光遊戯具によれば、電池ボックス５のスイッチ５０をＯＮ状態にして、手でＤ字形リング１２を握って振り回すようにすれば良い。上述した第１実施形態のバトン１ほどではないにせよ、握柄としてのこのＤ字形リング１２を備えていることで、リボン２を身体から遠ざける効果は十分にある。
【産業上の利用可能性】
【００３２】  この他、発光体には上述した発光ダイオードや豆球以外にも、例えば特開２０００−１３３４３８号のＥＬ（エレクトロルミネッセンス）素子を用いることが出来るし、長尺体に例えば特表２００５−５２４７８３号の電子的な織布を利用することが出来る。【００３３】  また握柄を棒状体とする例に付いてであるが、１つの棒状体に２以上の長尺体を取り付けたり、１つの長尺体を２以上に分岐させたりする構成なども自由に行って良い。また携帯電話器を第１実施形態のバトン１に見立てて、この発明の発光遊戯具をいわゆるストラップとして構成したものを提供することが出来る。【００３４】  またこの発明の構成は、長尺体にのぼり等の旗を用いたものとして構成することが可能であるから、その用途は玩具や応援用具やスポーツ用具に限定されず、看板などの広い分野に適用することが可能である。
【図面の簡単な説明】
【００３５】
【図１】第１実施形態の説明図である。
【図２】同実施形態の使用状態を表わす説明図である。
【図３】同実施形態の回路図である。
【図４】第２実施形態の制御回路５３回りの回路図である。
【図５】第３実施形態の説明図である。
【図６】第４実施形態の回転給電具９の説明図である。
【図７】第５実施形態の説明図である。
【図８】第６実施形態の説明図である。
【符号の説明】
【００３６】１    バトン
１０  バトン
１１  Ｌ字部
１２  Ｄ字形リング
２    リボン
２０  リボン
３    発光ダイオード
４    配線
４０  配線
５    電池ボックス
５０  スイッチ
５１  電池
５２  電源回路
５３  点滅制御回路
５４  メロディー制御回路
５５  モータ
６    スイベル
６０  ワイヤー
６１  回転具
７    スピーカ
８    マスコット人形
８０  回転スイッチ部
８１  開口部
８２  レンズ
９    回転給電具
９０  回転軸
９１  接点金具
９２  接点金具
９３  回転給電部
９４  回転給電部
【図１】
2008264459.tif 000003
【図２】
2008264459.tif 000004
【図３】
2008264459.tif 000005
【図４】
2008264459.tif 000006
【図５】
2008264459.tif 000007
【図６】
2008264459.tif 000008
【図７】
2008264459.tif 000009
【図８】
2008264459.tif 000010